(57)【要約】【課題】本発明は、不審者によるエレベータの利用を抑制しつつ、利用者の利便性を向上させることができるエレベータの呼び登録装置を得ることを目的とするものである。【解決手段】エレベータの各階の乗場には、利用者から乗場呼び登録操作を兼ねた行先階登録操作を受けるタッチパネル３、タッチパネル３を利用する利用者を撮影するための乗場撮影部としてのカメラ４、音声出力手段としてのスピーカ５、及び呼び登録装置本体６が設けられている。呼び登録装置本体６は、カメラ４からの画像情報から利用者の顔画像を抽出する。利用者の顔画像が抽出されると、呼び登録装置本体６は、抽出された利用者の顔画像をタッチパネル３の表示画面に表示するとともに、利用者による行先階登録操作を許可する。【選択図】図１
2008120549.tif 000002
【特許請求の範囲】
【請求項１】
乗場に設けられ、利用者による乗場呼び登録操作を受ける乗場操作部、
上記乗場操作部を利用する利用者の画像を撮影する撮影部、及び
上記撮影部からの画像情報から利用者の顔画像を抽出するとともに、利用者の顔画像を抽出することによって利用者による乗場呼び登録操作を有効とし、上記乗場操作部からの乗場呼び登録操作に応じて乗場呼びを登録する呼び登録装置本体
を備えていることを特徴とするエレベータの呼び登録装置。
【請求項２】
上記乗場操作部は、乗場呼び登録操作を兼ねる行先階登録操作を利用者から受けるための行先階登録用操作手段を有しており、
上記呼び登録装置本体は、上記撮影部からの乗場画像情報から利用者の顔画像を抽出することにより、利用者の行先階登録操作を有効とし、上記乗場操作部からの行先階登録操作に応じて乗場呼びとかごの行先階とを登録することを特徴とする請求項１記載のエレベータの呼び登録装置。
【請求項３】
上記乗場に設けられた乗場表示部をさらに備え、
上記呼び登録装置本体は、抽出した顔画像を上記乗場表示部に表示することを特徴とする請求項１又は請求項２に記載のエレベータの呼び登録装置。
【請求項４】
上記呼び登録装置本体は、複数のエレベータを含むエレベータ群の運行を制御する群管理装置に接続されており、呼び登録の内容を上記群管理装置に知らせて、上記群管理装置により割り当てられたエレベータの号機情報を含めた上記群管理装置からの応答情報を上記乗場表示部に表示させることを特徴とする請求項３記載のエレベータの呼び登録装置。
【請求項５】
上記乗場表示部及び上記乗場操作部は、タッチパネルによって一体に構成されており、
上記呼び登録装置本体は、上記タッチパネルの表示内容を制御するとともに、上記タッチパネル操作面の被操作箇所を検出することを特徴とする請求項４に記載のエレベータの呼び登録装置。
【請求項６】
上記呼び登録装置本体は、利用者により操作を受けている間のみ、上記タッチパネル操作面の被操作箇所を変色表示させることを特徴とする請求項５記載のエレベータの呼び登録装置。
【請求項７】
上記呼び登録装置本体は、抽出した顔画像と、その顔画像を抽出した際の乗場呼び登録操作の内容との少なくともいずれか一方を所定の時間の間だけ上記乗場表示部に表示することを特徴とする請求項３から請求項６までのいずれか１項に記載のエレベータの呼び登録装置。
【請求項８】
上記呼び登録装置本体は、操作状況に応じたメッセージを上記乗場表示部に表示するとともに、そのメッセージを乗場に設けられた音声出力手段から出力することを特徴とする請求項３から請求項７までのいずれか１項に記載のエレベータの呼び登録装置。
【請求項９】
上記呼び登録装置本体は、利用者の顔画像を抽出すると、その顔画像を抽出した際の乗場呼び登録操作内容の情報、及び抽出した顔画像情報を互いに対応付けて、操作ログ情報として記憶することを特徴とする請求項１から請求項８までのいずれか１項に記載のエレベータの呼び登録装置。
【請求項１０】
上記呼び登録装置本体は、管理者から所定の読み出し操作を受けることにより、記憶している操作ログ情報への管理者によるアクセスを許可することを特徴とする請求項９記載のエレベータの呼び登録装置。
【発明の詳細な説明】
【技術分野】
【０００１】
この発明は、利用者の顔画像を利用したセキュリティ機能を有し、利用者の操作に応じてエレベータの呼び登録を行うエレベータの呼び登録装置に関するものである。
【背景技術】
【０００２】
従来のエレベータ制御装置では、不審者によるエレベータの利用を拒むために、乗場で取得された利用者の顔画像情報と事前に登録された顔画像情報とが互いに照合されることによって利用者が個人認証を受け、個人認証を受けた利用者のエレベータの利用が許可される（例えば、特許文献１参照）。
【０００３】
【特許文献１】特開２００５−８９０９５号公報
【発明の開示】
【発明が解決しようとする課題】
【０００４】
上記のような従来のエレベータ制御装置では、利用者の顔画像を事前に登録する必要があるため、この登録作業によって利用者の利便性が低下してしまう。これとともに、利用者の顔画像は、時間経過に伴って変化（老化・成長）するため、照合ミスが発生することがあり、この照合ミスによっても利用者の利便性が低下してしまう。
【０００５】
この発明は、上記のような課題を解決するためになされたものであり、不審者によるエレベータの利用を抑制しつつ、利用者の利便性を向上させることができるエレベータの呼び登録装置を得ることを目的とする。
【課題を解決するための手段】
【０００６】
この発明に係るエレベータの呼び登録装置は、乗場に設けられ、利用者による乗場呼び登録操作を受ける乗場操作部、乗場操作部を利用する利用者の画像を撮影する撮影部、及び撮影部からの画像情報から利用者の顔画像を抽出するとともに、利用者の顔画像を抽出することによって利用者による乗場呼び登録操作を有効とし、乗場操作部からの乗場呼び登録操作に応じて乗場呼びを登録する呼び登録装置本体を備えたものである。
【発明の効果】
【０００７】
この発明のエレベータの呼び登録装置は、撮影部からの画像情報から乗場利用者の顔画像が抽出されることによって、利用者による乗場呼び登録操作が有効となるので、顔画像の事前登録が不要となり、照合ミスも生じないことにより、利用者の利便性を向上させることができる。これとともに、顔画像の撮影を拒む心理が不審者に作用することにより、不審者によるエレベータの利用を抑制することができる。
【発明を実施するための最良の形態】
【０００８】
以下、この発明を実施するための最良の形態について、図面を参照して説明する。
実施の形態１．
図１は、この発明の実施の形態１によるエレベータの呼び登録装置を示すブロック図である。図２は、図１のタッチパネル３、カメラ４及びスピーカ５を示す正面図である。
図において、複数のエレベータを含むエレベータ群の運行は、群管理装置１によって制御される。群管理装置１には、各エレベータのかごの運転を個別に制御する複数の各台制御装置２が接続されている。群管理装置１は、かごの運転を各台制御装置２に指示する。エレベータの各階の乗場には、乗場呼び登録操作を兼ねる行先階登録操作を利用者から受けるタッチパネル（タッチセンサ付ディスプレイ）３、タッチパネル３を利用する利用者を撮影するための乗場撮影部としてのカメラ４、音声出力手段としてのスピーカ５、及び呼び登録装置本体（行先階登録装置）６が設けられている。タッチパネル３は、乗場表示部としてのディスプレイ（例えばＬＣＤ；Ｌｉｑｕｉｄ  Ｃｒｙｓｔａｌ  Ｄｉｓｐｌａｙ）７と、乗場操作部としてのタッチセンサ８とを有している。カメラ４は、タッチパネル３を利用する利用者の上半身を撮影するように、タッチパネル３の上方に配置されている。
【０００９】
タッチパネル３、カメラ４及びスピーカ５と呼び登録装置本体６とは、互いに接続されている。各階の呼び登録装置本体６は、通信路９を介して、群管理装置１に接続されている。また、呼び登録装置本体６は、システム制御部６ａ、データ格納部（データベース部）６ｂ、顔画像抽出部（顔画像検出部）６ｃ、表示制御部６ｄ、センサ制御部６ｅ、及び音声案内制御部６ｆを有している。システム制御部６ａは、呼び登録装置本体６全体の動作を制御する。データ格納部６ｂには、呼び登録装置本体６の動作に関わる設定値（パラメータ）等の制御情報が格納されている。顔画像抽出部６ｃは、カメラ４から受けた画像情報から、人物の顔の特徴点（顔の輪郭、及び目鼻口等の部位の位置）を検出し、乗場利用者の顔画像を抽出する。顔画像抽出部６ｃは、抽出した顔画像をデータ格納部６ｂに格納（記憶）するとともに、乗場利用者の顔画像を抽出したことをシステム制御部６ａに知らせる。
【００１０】
表示制御部６ｄは、システム制御部６ａからの指示に基づいて、タッチパネル３（ディスプレイ７）の画面の表示内容を制御する。また、表示制御部６ｄは、タッチパネル３の表示画面をメッセージ表示部３ａ、階床・号機表示部３ｂ、画像表示部３ｃ、及び複数のボタン部からなるテンキー部３ｄに区切り、各表示部３ａ〜３ｃ及びテンキー部３ｄの表示内容を個別に制御する。テンキー部３ｄのボタン部は、行先階登録用操作手段を構成している。また、テンキー部３ｄのボタン部は、０〜９までの数値入力用の数字ボタンと、地下階入力用のＢボタンと、入力確定用の確定ボタンとを有している。ここで、表示制御部６ｄは、電源投入時に、データ格納部６ｂに予め格納されたタッチパネル制御用パラメータファイルを読み込み、テンキー部３ｄの表示レイアウト（表示位置、及びボタンの種類等）を決定する。タッチパネル制御用パラメータファイルには、図３に示すように、テンキー部３ｄの全体のボタン数と、ボタン毎のボタン表示位置決定・操作検出用の表示座標値と、数字ボタン（階床ボタン）の操作認識用の階床インジコード、又はＢボタン部及び確定ボタン部の操作認識用の特定ボタンコードとが含まれている。
【００１１】
センサ制御部６ｅは、タッチパネル制御用パラメータファイルに基づいて、タッチパネル３（タッチセンサ８）のセンサ面におけるテンキー部３ｄに対応する箇所の操作状況（押下状況）を監視し、タッチパネル３のセンサ面上の被操作箇所を検出する。また、センサ制御部６ｅは、タッチパネル３の操作対応箇所、即ちテンキー部３ｄに該当する箇所が操作されると、表示制御部６ｄにタッチパネル３のセンサ面（操作面）の被操作箇所を知らせるとともに、システム制御部６ａに操作内容（入力内容）を知らせる。そして、表示制御部６ｄは、タッチパネル３の表示画面におけるテンキー部３ｄの被操作箇所を変色表示する。即ち、呼び登録装置本体６は、タッチパネル３の表示内容の制御と、タッチパネル３のセンサ面の操作検出とを行う。音声案内制御部６ｆは、システム制御部６ａからの指示に基づいて、スピーカ５から乗場へ音声案内を行う。
【００１２】
ここで、タッチパネル３の表示内容、及び呼び登録装置本体６についてより具体的に説明する。図４〜６は、図１のタッチパネル３の表示状態の一例を示す正面図である。呼び登録装置本体６は、顔画像が無入力状態のときに、例えば「カメラに顔を向けてください」等の顔の撮影を利用者に促すメッセージをメッセージ表示部３ａに表示し、カメラ４により撮影された乗場の画像（動画）を画像表示部３ｃに表示する。また、呼び登録装置本体６は、カメラ４からの画像情報から利用者の顔画像を抽出する。つまり、呼び登録装置本体６は、カメラ４からの画像情報に利用者の顔画像が含まれていないかどうかを監視する。さらに、呼び登録装置本体６は、利用者の顔画像を抽出すると、抽出された利用者の顔画像（静止画）を画像表示部３ｃに表示するとともに、利用者による行先階登録操作を許可する（有効とする）。そして、呼び登録装置本体６は、例えば「行先階を押してください」等の行先階登録操作を促すメッセージを、メッセージ表示部３ａに表示する。
【００１３】
さらにまた、呼び登録装置本体６は、利用者によりテンキー部３ｄのボタン部が操作されると、操作されている間だけボタン部を変色表示するとともに、タッチパネル３のボタン部に応じた入力内容、即ち入力された行先階を識別する。そして、呼び登録装置本体６は、入力された行先階を階床・号機表示部３ｂに表示する。ここで、図４に示す階床・号機表示部３ｂは、テンキー部３ｄにおける１ボタンが操作されてから３ボタンが操作された状態を表示しており、このときに、呼び登録装置本体６は、１３階を行先階として認識している。
【００１４】
また、呼び登録装置本体６は、利用者による行先階登録操作を受けると、予め登録された設置階情報に基づく乗場呼び登録、及び設置階からのかごの行先階登録を行い、群管理装置１に登録内容を送信する。そして、呼び登録装置本体６は、登録内容に対する応答情報を群管理装置１から受けると、登録内容に対してかごが割り当てられたかどうかを、群管理装置１からの応答情報に基づいて確認する。このときに、呼び登録装置本体６は、かごが割り当てられたことを確認すると、その割り当てかごの番号（例えば「Ａ」、「Ｂ」）を階床・号機表示部３ｂに表示し、画像表示部３ｃの表示内容を顔画像から乗場画像に戻す。これとともに、呼び登録装置本体６は、例えば「表示された号機にお乗り下さい」等の指定したかごへの乗車を促すメッセージをメッセージ表示部３ａに表示する。
【００１５】
さらに、呼び登録装置本体６は、登録した行先階が非サービス階である場合や、存在しない階である場合等に、群管理装置１によってかごが割り当てられなければ、かごが割り当てられなかったことを示す字句（例えば「？」）を階床・号機表示部３ｂに表示するとともに、例えば「操作された階には止まりません」及び「操作された階は存在しません」等の入力エラーを示すメッセージをメッセージ表示部３ａに表示する。このときに、呼び登録装置本体６は、所定の時間（例えば１０秒）の間だけ、利用者による行先階の再入力を許可する。そして、所定の時間の間に行先階の再入力を受けなければ、呼び登録装置本体６は、利用者による行先階登録操作を禁止するとともに、画像表示部３ｃの表示内容を顔画像から乗場画像に切り換える。さらにまた、呼び登録装置本体６は、メッセージ表示部３ａに表示するメッセージと同様の内容の音声案内をスピーカ５から出力する。
【００１６】
図７は、図１のデータ格納部６ｂに格納される操作ログ（操作履歴）情報の一例を示す説明図である。呼び登録装置本体６は、行先階登録操作を受けてから行先階登録を行うと、入力された行先階、設置階、操作時刻情報、及びかごの割り当て結果を、顔画像情報に対応付けて、操作ログ情報としてデータ格納部６ｂに格納（記憶）する。なお、図７における番号４の項目は、利用者による行先階入力時に入力エラーとなったことを示し、番号５のデータ列は、番号４のデータ列に対応する利用者が行先階の再入力を行ったことを示す。
【００１７】
図８は、図７の操作ログ情報の表示状態の一例を示す説明図である。呼び登録装置本体６は、管理者（ビル管理者及び保守員等）によって、テンキー部３ｄから予め設定された暗証番号が入力されると、データ格納部６ｂが格納している操作ログ情報を利用者履歴としてタッチパネル３の画面に表示する。また、呼び登録装置本体６は、入力エラーとなったデータ列を記憶していると、そのデータ列を他のデータ列と異なる色で表示する。さらに、呼び登録装置本体６は、次ページボタン、前ページボタン及び終了ボタンをタッチパネル３の画面の一部に表示する。次ページボタン及び前ページボタンとは、管理者による利用者履歴の画面切換操作用のボタン部であり、終了ボタンとは、利用者履歴から行先登録操作入力画面へ切り換えるためのボタンである。即ち、呼び登録装置本体６は、所定の読み出し操作として暗証番号が入力されることによって、暗証番号を入力した管理者の操作ログ情報へのアクセス（利用・閲覧）を許可する。
【００１８】
ここで、呼び登録装置本体６は、演算処理部（ＣＰＵ）、記憶部（ＲＯＭ、ＲＡＭ及びハードディスク等）及び信号入出力部を持ったコンピュータ（図示せず）により構成することができる。呼び登録装置本体６のコンピュータの記憶部には、システム制御部６ａ、データ格納部６ｂ、顔画像抽出部６ｃ、表示制御部６ｄ、センサ制御部６ｅ及び音声案内制御部６ｆの機能を実現するためのプログラムが格納されている。
【００１９】
次に、動作について説明する。図９は、図１の呼び登録装置本体６の動作を示すフローチャートである。まず、呼び登録装置本体６は、メッセージ表示部３ａに顔の撮影を促すメッセージを表示するとともに、画像表示部３ｃにカメラ４により撮影された乗場の画像を表示する（ステップＳ１）。そして、呼び登録装置本体６は、カメラ４からの画像から利用者の顔画像を抽出したかどうかを確認し（ステップＳ２）、利用者の顔画像を抽出するまで待機する。利用者の顔画像を抽出すると、呼び登録装置本体６は、利用者による行先階登録操作を許可して、抽出した顔画像を画像表示部３ｃに表示するとともに、行先階登録操作を促すメッセージ（案内）をメッセージ表示部３ａに表示する（ステップＳ３）。
【００２０】
そして、呼び登録装置本体６は、所定時間（例えば１０秒）以内に、タッチパネル３のテンキー部３ｄが操作されたかどうかを確認する（ステップＳ４，５）。このときに、テンキー部３ｄが操作されないまま、所定時間が経過すると、タッチパネル３の表示リセットを行うとともに、利用者による行先階登録操作を禁止する（ステップＳ６）。そして、呼び登録装置本体６は、メッセージ表示部３ａに顔の撮影を促すメッセージを表示するとともに、画像表示部３ｃにカメラ４により撮影された乗場の画像を表示し、利用者の顔画像を抽出するまで待機する。
【００２１】
一方、テンキー部３ｄが操作されると、呼び登録装置本体６は、テンキー部３ｄにおける操作を検出しているボタン部の変色表示を行い、入力された行先階を階床・号機表示部３ｂに表示する（ステップＳ７）。そして、呼び登録装置本体６は、所定時間（例えば１０秒）以内に、テンキー部３ｄにおける確定ボタンが操作されたかどうかを確認する（ステップＳ８，９）。確定ボタンが操作されるか、又は所定時間が経過すれば、呼び登録装置本体６は、設置階での乗場呼び登録と、利用者による行先階登録操作に基づくかごの行先階登録とを行って、群管理装置１に登録内容を通知し、その登録内容を抽出した顔画像に対応付けて記憶する（ステップＳ１０）。群管理装置１からの応答情報に基づいて、かごが割り当てられたかどうかを確認する（ステップＳ１１）。
【００２２】
このときに、かごが割り当てられれば、呼び登録装置本体６は、利用者による行先階登録操作を禁止して、表示している利用者の顔画像を非表示に切り換える（ステップＳ１２）。そして、呼び登録装置本体６は、かごの割当号機番号を操作ログに追加して記憶し、割当号機番号を階床・号機表示部３ｂに表示するとともに、指定されたかごへの乗車を促すメッセージをメッセージ表示部３ａに表示しつつ、スピーカ５から音声出力を行う（ステップＳ１３）。また、指定されたかごへの乗車を促すメッセージをメッセージ表示部３ａに表示してから所定時間（例えば３秒）が経過すれば、呼び登録装置本体６は、タッチパネル３の表示リセットを行い（ステップＳ１４）、メッセージ表示部３ａに顔の撮影を促すメッセージを表示するとともに、画像表示部３ｃにカメラ４により撮影された乗場の画像を表示して、利用者の顔画像を抽出するまで待機し、同様の動作を繰り返す。
【００２３】
一方、かごが割り当てられなければ、呼び登録装置本体６は、入力エラーが発生したと判断して、入力エラーが発生したことを操作ログに追加して記憶し、かごが割り当てられなかったことを示す字句を階床・号機表示部３ｂに表示するとともに、入力エラーを示すメッセージをメッセージ表示部３ａに表示しつつ、スピーカ５から音声出力を行う（ステップＳ１５）。そして、呼び登録装置本体６は、所定時間（例えば３秒）待機した後に、行先階登録操作（再入力）を促すメッセージをメッセージ表示部３ａに表示して（ステップＳ１６）、所定時間（例えば１０秒）以内に、タッチパネル３のテンキー部３ｄが操作されたかどうかを確認し、同様の動作を繰り返す。
【００２４】
上記のようなエレベータの呼び登録装置では、カメラ４からの画像情報から利用者の顔画像が抽出されることによって、利用者による行先階登録操作が有効となるので、顔画像の事前登録が不要となり、照合ミスも生じないことにより、利用者の利便性を向上させることができる。これとともに、顔画像の撮影を拒む心理が不審者に作用することにより、不審者によるエレベータの利用を抑制することができる。
【００２５】
また、顔画像の事前登録が不要となり、照合ミスも生じないことにより、マンマシン・インターフェースとしての信頼性を向上させることができるとともに、顔画像事前登録用の記憶機器や管理コンピュータ等が不要とすることができ、従来のエレベータの制御装置よりも安価にすることができる。
【００２６】
さらに、タッチパネル３に抽出した顔画像を表示するので、不審者に対する心理的作用をさらに強めることができる。
【００２７】
さらにまた、乗場操作部としてタッチパネル３を用いており、テンキー部３ｄの表示レイアウトを含めたタッチパネル３の表示内容が呼び登録装置本体３によって制御されるので、乗場における行先階の入力手段が建物毎の階層構造及び階床名の制限を受けないことにより、入力手段を標準化することができ、設計及び製造の作業効率を向上させることができる。
【００２８】
また、呼び登録装置本体６がかごの割り当てを確認することによって利用者の顔画像が非表示となり、かつ呼び登録装置本体６がかごの割り当てを確認してから所定の時間が経過することによって表示内容がリセットされるので、タッチパネル３の操作内容の表示時間を最小限とすることにより、利用者の顔画像及び行先階等の個人情報が他人に漏洩することを抑えることができる。これとともに、複数の利用者が行先階登録操作を行う場合に、最初の利用者から２人目の利用者への行先階登録操作の切換を円滑にすることができ、利用者の利便性をさらに向上させることができる。
【００２９】
さらに、呼び登録装置本体６によって、操作状況に応じたメッセージがタッチパネル３に表示されるとともに、スピーカ５から音声出力されるので、利用者が操作状況を随時把握することができ、利用者の利便性をさらに向上させることができる。
【００３０】
さらにまた、抽出した顔画像とその顔画像に対応するタッチパネル３の操作内容とを操作ログ情報として記憶するので、管理者等が操作ログ情報を定期的に監視することによって不審者による犯罪の予兆を事前に察知することができ、セキュリティ性を向上させることができる。これとともに、事後の犯罪捜査等を行う場合にも、管理者等が操作ログ情報を参照することによって不審者の挙動を確認することができる。
【００３１】
なお、実施の形態１では、エレベータ群によるエレベータの群管理システムについて説明したが、この発明は、単体のエレベータによるエレベータシステムに適用してもよい。
【００３２】
また、実施の形態１では、乗場呼び登録操作を兼ねる行先階登録操作を乗場の利用者が行う呼び登録方式であったが、乗場呼び登録操作のみを乗場の利用者が行い、利用者がかご内で行先階登録操作を行うような呼び登録方式であってもよい。この場合、実施の形態１の呼び登録装置本体６では、利用者の顔画像を抽出することにより乗場での乗場呼び登録操作を兼ねた行先階登録操作を許可したが、呼び登録装置本体は、利用者の顔画像を抽出することにより乗場呼び登録操作のみを許可してもよい。これとともに、乗場操作部として呼び登録ボタン等を用いてもよく、乗場表示部を省略してもよい。
【００３３】
さらに、実施の形態１では、テンキー部３ｄに確定ボタンが含まれており、呼び登録装置本体６が確定ボタンの操作検出を行っていたが、この確定ボタンと呼び登録装置本体６による確定ボタンの操作検出を省略してもよい。
【００３４】
さらにまた、タッチパネル３におけるテンキー部３ｄの表示レイアウトは、この例に限るものではなく、建物階の構成に応じて適宜決定することができる。例えば、テンキー部３ｄの表示レイアウトに、屋上階入力用のＲボタンを追加してもよく、地下階入力用のＢボタンを省略してもよい。
【００３５】
また、実施の形態１では、テンキー部３ｄから入力された暗証番号に応じて呼び登録装置本体６が操作ログをディスプレイ７に表示していたが、この例に限るものではなく、呼び登録装置本体に公衆回線網（電話回線及びインターネット等）を介して接続された遠隔監視センタ等の管理盤からの表示要求（パスワード入力；所定の読み出し操作）を受けることにより、呼び登録装置本体が管理盤へ操作ログ情報を送信してもよい。さらに、呼び登録装置本体に接続された保守用のコンピュータ等からの操作ログの表示要求を受けることにより、保守用のコンピュータ等からの操作ログ情報へのアクセスを許可し、保守用のコンピュータに操作ログ情報を送信してもよい。
【図面の簡単な説明】
【００３６】
【図１】この発明の実施の形態１によるエレベータの呼び登録装置を示すブロック図である。
【図２】図１のタッチパネル、カメラ及びスピーカを示す正面図である。
【図３】図１のデータ格納部に格納されたタッチパネル制御用パラメータファイルの一例を示す説明図である。
【図４】図１のタッチパネルの表示状態の一例を示す正面図である。
【図５】図１のタッチパネルの表示状態の一例を示す正面図である。
【図６】図１のタッチパネルの表示状態の一例を示す正面図である。
【図７】図１のデータ格納部に格納される操作ログ情報の一例を示す説明図である。
【図８】図７の操作ログ情報の表示状態の一例を示す説明図である。
【図９】図１の呼び登録装置本体の動作を示すフローチャートである。
【符号の説明】
【００３７】
１  群管理装置、３  タッチパネル、４  カメラ（撮影部）、５  スピーカ（音声出力手段）、６  呼び登録装置本体、７  ディスプレイ（乗場表示部）、８  タッチセンサ（乗場操作部）。
【図１】
2008120549.tif 000003
【図２】
2008120549.tif 000004
【図３】
2008120549.tif 000005
【図４】
2008120549.tif 000006
【図５】
2008120549.tif 000007
【図６】
2008120549.tif 000008
【図７】
2008120549.tif 000009
【図８】
2008120549.tif 000010
【図９】
2008120549.tif 000011